(57)【要約】【課題】遊技者に対して意外性がある演出効果が期待でき、より強いインパクトを与えることができる遊技機のリール装置を提供する。【解決手段】リール装置としてのサブリール２０のリール２１ａ〜２１ｃが停止すると、第２の表示窓３５に表示された図柄が第２の表示窓３５に向かって移動したのち、第２の表示窓３５に音をたてて張り付く演出がなされる演出部２００を備えるようにする。これにより、リール２１ａ〜２１ｃが停止した際に、遊技者に対して意外性がある演出効果を行うことができ、遊技者により強いインパクトを与えることができるようになる。【選択図】図３
2009101063.tif 000002
【特許請求の範囲】
【請求項１】
筐体内に配設されたリール装置のリールの外周面に形成された図柄が表示窓を通して目視可能とされた遊技機のリール装置において、
前記リール装置のリールが停止すると、前記表示窓に表示された図柄が表示窓に向かって移動したのち、前記表示窓に張り付く演出を行う演出部を備えたことを特徴とする遊技機のリール装置。
【請求項２】
前記演出部は、前記図柄が形成されていると共に前記リールの外周面からほぼ垂直方向に向かって離脱可能とされた図柄部と、前記図柄部を前記リールの外周面と前記表示窓との間で往復移動させる機構部と、前記リールが停止した際に、前記表示窓にて視認される図柄が形成された前記図柄部の前記機構部を動作させて、前記表示窓にて視認される図柄が形成された前記図柄部を前記表示窓に向かって移動させて張り付かせる制御部と、を備えていることを特徴とする請求項１に記載の遊技機のリール装置。
【請求項３】
前記機構部は、圧縮バネ、圧縮空気、電磁ソレノイドのうち何れか１つを用いて前記図柄部を前記リールの外周面から前記表示窓に向かって移動させることを特徴とする請求項２に記載の遊技機のリール装置。
【請求項４】
前記図柄部と前記リールの外周面との間には、前記リールが回転する際の遠心力によって前記図柄部が前記リール外周面から離れるのを防止すると共に、前記機構部が動作した際には前記図柄部を前記リール外周面から離脱させるように互いに引き合う力が設定された一対の磁石、または、磁石とこれにくっつく鉄などを用いた小片部が配設されていることを特徴とする請求項２に記載の遊技機のリール装置。
【請求項５】
前記図柄部と前記リールの外周面との間には、前記図柄部を前記リールの外周面の所定位置に位置させたり、前記リールの外周面から離脱した前記図柄部を所定位置に戻すための伸縮自在な蛇腹部材が配設されていることを特徴とする請求項２または４に記載の遊技機のリール装置。
【発明の詳細な説明】
【技術分野】
【０００１】
この発明は、パチスロ機、パチンコ機などの遊技機のリール装置に関する。
【背景技術】
【０００２】
従来、パチスロ機、パチンコ機などの遊技機には、遊技者のスタート操作により同時に回転し、その後、遊技者自らが停止タイミングを決定し、役の当たり外れを決定できるメインリールや、所定時間経過後（演出終了時）に停止し、役の当たり外れの決定には全く関係しない演出用のサブリールなどのリール装置が搭載されている。これらのリール装置は、互いに独立して回転しているリールが停止した際の各リール前方の表示窓に現れた図柄の組合せによって役の当選判定を行ったり、演出を行うようになっているだけであるから、遊技者に十分な感激を与えることはできない虞があった。
そこで、特許文献１には、最後に停止するリールが停止して入賞状態になる際に、所定の図柄が形成されたカバー部材を出現させることにより、入賞時の感激を高める演出を行うことが提案されている。
【０００３】
【特許文献１】特開平１１−９７６３号公報
【発明の開示】
【発明が解決しようとする課題】
【０００４】
しかしながら、特許文献１に記載された発明にあっては、カバー部材が出現するのは、入賞時における最後に停止するリールの前面であって、しかも、カバー部材に形成された図柄は１つのみである。そのため、遊技者に対して意外性がある演出効果とは言えず、遊技者にインパクトを与えることはできないという問題があった。
【０００５】
そこで、この発明は、遊技者に対して意外性がある演出効果が期待でき、より強いインパクトを与えることができる遊技機のリール装置を提供することを目的とする。
【課題を解決するための手段】
【０００６】
上記目的を達成するため請求項１に記載の発明は、筐体内に配設されたリール装置のリールの外周面に形成された図柄が表示窓を通して目視可能とされた遊技機のリール装置において、
前記リール装置のリールが停止すると、前記表示窓に表示された図柄が表示窓に向かって移動したのち、前記表示窓に張り付く演出がなされる演出部を備えたことを特徴とする。
【０００７】
上記目的を達成するため請求項２に記載の発明は、請求項１に記載の発明の構成に加えて、前記演出部は、前記図柄が形成されていると共に前記リールの外周面からほぼ垂直方向に向かって離脱可能とされた図柄部と、前記図柄部を前記リールの外周面と前記表示窓との間で往復移動させる機構部と、前記リールが停止した際に、前記表示窓にて視認される図柄が形成された前記図柄部の前記機構部を動作させて、前記表示窓にて視認される図柄が形成された前記図柄部を前記表示窓に向かって移動させて張り付かせる制御部と、を備えていることを特徴とする。
【０００８】
上記目的を達成するため請求項３に記載の発明は、請求項２に記載の発明の構成に加えて、前記機構部は、バネ部材、圧縮空気、電磁ソレノイドのうち何れか１つを用いて前記図柄部を前記リールの外周面から前記表示窓に向かって移動させることを特徴とする。
【０００９】
上記目的を達成するため請求項４に記載の発明は、請求項２に記載の発明の構成に加えて、前記図柄部と前記リールの外周面との間には、前記リールが回転する際の遠心力によって前記図柄部が前記リール外周面から離れるのを防止すると共に、前記機構部が動作した際には前記図柄部を前記リール外周面から離脱させるように互いに引き合う力が設定された一対の磁石、または、磁石とこれにくっつく鉄などを用いた小片部が配設されていることを特徴とする。
【００１０】
上記目的を達成するため請求項５に記載の発明は、請求項２または４に記載の発明の構成に加えて、前記図柄部と前記リールの外周面との間には、前記図柄部を前記リールの外周面の所定位置に位置させたり、前記リールの外周面から離脱した前記図柄部を所定位置に戻すための伸縮自在な蛇腹部材が配設されていることを特徴とする。
【００１１】
請求項１〜５に記載の発明によれば、リール装置のリールが停止した状態にあっては、リール外周面に形成された図柄が表示窓を通して表示される。すると、次の瞬間、表示窓を通して表示されたリール外周面の図柄がそれぞれ表示窓に向かって飛び出すように移動したのち、表示窓に張り付く演出がなされるようになっている。これにより、表示窓を通して図柄を見ていた遊技者は、図柄がいきなり拡大（ズームアップ）したと感じるので、遊技者に対して意外性がある演出効果を行うことができて、より強いインパクトを与えることができるようになる。
【発明の効果】
【００１２】
本発明の遊技機のリール装置によれば、リール装置のリールが停止すると、表示窓に表示された図柄が表示窓に向かって移動したのち、表示窓に張り付く演出がなされる演出部を備えた。これにより、遊技者に対して意外性がある演出効果が期待でき、より強いインパクトを与えることができる遊技機のリール装置が実現する。
【発明を実施するための最良の形態】
【００１３】
以下、本発明の好適な一実施形態を、スロットマシン（パチスロ機）を例に図面を参照して説明する。
図１は、スロットマシンの正面図、図２は、リール装置の斜視図、図３は、本発明が適用されたサブリールによる演出例の１つを示した模式図、図４（ａ），（ｂ）は、同例における演出部の構成を示した模式図、図５は、同例におけるリールの外周面の斜視図、図６は、同例におけるサブリールによる演出例の１つを示した側面図である。
【００１４】
まず、スロットマシンについて説明する。
図１に示されるように、スロットマシン１は、フロントマスクと言われる前扉２を備えている。この前扉２は、前面が開口した略矩形状の筐体（図示せず）の前面開口部を開閉するものであって、遊技者に面する「前面パネル部」として視覚効果を高めるようにデザインされた所謂化粧板として硬質プラスチックにより一体形成された上部パネル部３、操作卓４、下部パネル部５にほぼ区分されるようになっている。
【００１５】
上部パネル部３の上部や左右側部には、高輝度の発光ダイオードを内蔵する演出用照明部３０、３１ａ〜３１ｈが配設されていると共に、遊技に係る効果音を発生するスピーカを内蔵した演出用放音部３２ａ，３２ｂが配設されている。さらに、これら演出用放音部３２ａ，３２ｂの間には、略矩形状の透明な第１の表示窓３３が設けられており、この第１の表示窓３３を通して筐体内に配設されたリール装置（本実施形態にあってはメインリール１０）の３本のリール１１ａ，１１ｂ，１１ｃが目視可能となっている。
【００１６】
第１の表示窓３３の下方側、つまり上部パネル部３の中央には、平板状のパネル面を有するパネルユニット３４が配設されている。そして、このパネルユニット３４のほぼ中央に、略矩形状の透明な第２の表示窓３５が設けられており、この第２の表示窓３５を通して筐体内に配設されたリール装置（本実施形態にあってはサブリール２０）の３本のリール２１ａ，２１ｂ，２１ｃが目視可能となっている。
【００１７】
操作卓４の上面側には、メダル投入部４０、ベットボタン４１，４２が配設されていると共に、前面側には、スタートレバー４３、ストップボタン４４ａ，４４ｂ，４４ｃ、精算ボタン４５、イジェクトボタン４６、鍵穴４７が配設されている。
【００１８】
メダル投入部４０は、ゲームに賭けるメダルを投入するメダル投入口４０ａを備えている。ベットボタン４１，４２は、スロットマシン１の１ゲームに賭けるメダルの枚数を提示するためのボタンスイッチであり、ベットボタン４１を１回押圧操作すると、貯留されているメダルのなかから１枚のメダルがゲームに対して賭けられ、また、ベットボタン４２を１回押圧操作すると、３枚のメダルがゲームに対して賭けられるようになっている。
【００１９】
スタートレバー４３は、メインリール１０及びサブリール２０の各リール１１ａ〜１１ｃ，２１ａ〜２１ｃの回転開始を指示するためのレバースイッチである。ストップボタン４４ａ，４４ｂ，４４ｃは、回転しているメインリール１０の各リール１１ａ〜１１ｃの停止をそれぞれ指示するためのボタンスイッチである。なお、サブリール２０の各リール２１ａ〜２１ｃは、演出が終わったら停止するように制御される。
【００２０】
精算ボタン４５は、ゲームに賭けたメダルの払い出しを指示すると共に、メダルクレジット手段（図示せず）が内部保留したメダルの払い出しを指示するためのボタンスイッチである。イジェクトボタン４６は、メダル投入後に詰まったメダルを排出するボタンスイッチである。鍵穴４７は、前扉２を開錠する際に用いられる鍵穴であって、この鍵穴４７に鍵を挿入して所定操作すると、前扉２を開くことができるようになっている。また、前扉２は、筐体側に閉じると自動的に施錠されるようになっている。
【００２１】
下部パネル部５には、スロットマシン１のモデルタイプを遊技者へ認識させるため、登場キャラクタの意匠等を表示するパネル５０が設けられている。このパネル５０の下方には、受皿ユニット５１、入賞時にメダルを排出するメダル払出口５２、演出効果音を発生するスピーカを内蔵した演出用放音部５３ａ，５３ｂ等が配設されている。さらに、受皿ユニット５１には、メダル払出口５２から払い出されたメダルを貯留する受皿部５１ａが一体形成されていると共に、喫煙者用の灰皿部材５４が設けられている。また、パネル５０の左右両側には、高輝度の発光ダイオードを内蔵した演出用照明部５５ａ，５５ｂが配設されている。
【００２２】
次に、リール装置について詳述する。
なお、リール装置としてのメインリール１０とサブリール２０とは、ほぼ同様の態様とされているので、ここでは、メインリール１０を代表として説明する。
【００２３】
図２に示されるように、メインリール１０は、横一列に並んだ３つのリール１１ａ〜１１ｃを備えている。３つのリール１１ａ〜１１ｃの大きさは同一とされていると共に、それら外周面には複数の図柄が周方向に列記されている。また、リール１１ａ〜１１ｃは、各々が独立して回転可能となるように、天板１２ａ、側板１２ｂ、底板１２ｃからなるリール支持ブラケット１２に支持されていると共に、各リール１１ａ〜１１ｃの回転中心には、リール駆動用のステッピングモータ１３（但し、図中にあっては１つのみ図示）が組付けられている。
メインリール１０の上部には、リール駆動用のステッピングモータ１３へ４相の駆動パルス信号を送出する回胴制御基板１４が取り付けられており、スロットマシン１の全体動作を集中制御するように筐体内に設けられた図示しないメイン制御基板が、回胴制御基板１４に駆動パルスデータを送出することによって、各リール１１ａ〜１１ｃの回転、制動及び停止の制御が行われる。
【００２４】
このようにして構成されたメインリール１０とほぼ同様の態様によりサブリール２０も構成されている。そして、メインリール１０は、前扉２に形成された第１の表示窓３３に対し、３つのリール１１ａ〜１１ｃが対向するように、筐体内に位置決めされた状態で取り付けられている。また、サブリール２０は、前扉２に形成された第２の表示窓３５に対し、３つのリール２１ａ〜２１ｃが対向するように、筐体内に位置決めされた状態で取り付けられている。
【００２５】
そして、遊技者によってメダルが投入され、スタートレバー４３が押し下げられると、メインリール１０のリール１１ａ〜１１ｃが始動すると共に内部抽選役に応じて図示しないサブ基板内で演出が選択され、サブリール２０のリール２１ａ〜２１ｃが始動する。そして、ストップボタン４４ａ〜４４ｃの押圧に応じてメインリール１０のリール１１ａ〜１１ｃが停止して役が決定されると共に、演出終了時にサブリール２０のリール２１ａ〜２１ｃが停止するようになっている。メインリール１０のリール１１ａ〜１１ｃが停止した状態にあっては、第１の表示窓３３に合計９個（各リール３個）の図柄が視認されるようになる。これと同様に、サブリール２０のリール２１ａ〜２１ｃが停止した状態にあっては、第２の表示窓３５に合計９個（各リール３個）の図柄が視認されるようになる。
【００２６】
メインリール１０のリール１１ａ〜１１ｃが停止した際、第１の表示窓３３に表示された図柄の組合せが予め設定された入賞パターンと一致している場合には、その入賞パターンに応じた枚数のメダルがメダル払出口５２から受皿部５１ａに向かって払い出されるようになっている。また、サブリール２０のリール２１ａ〜２１ｃが停止した際に、第２の表示窓３５に表示された図柄によって演出が終了する。このため、遊技者に対して意外性がある演出効果とは言えず、遊技者にインパクトを与えることはできない虞がある。
【００２７】
そこで、本実施形態のサブリール２０にあっては、次のような演出が演出部２００によって行われるように構成されている。すなわち、サブリール２０のリール２１ａ〜２１ｃが停止すると、図３に示されるように、第２の表示窓３５に表示されたリール外周面の図柄が第２の表示窓３５に向かって飛び出すように移動したのち、表示窓３５に音をたてて張り付く演出がなされることがある。
なお、このような演出は、サブリール２０のリール２１ａ〜２１ｃが停止する毎に行われるものではなく、サブ基板内で選択された演出に応じて行われるようになっているが、これに限定されるものではない。
【００２８】
リール２１ａ〜２１ｃのうち、リール２１ａを代表として説明すると、このような演出を行う演出部２００は、図３、４に示されるように、図柄が形成されていると共にリール２１ａの外周面からほぼ垂直方向に向かって離脱可能とされた複数の図柄部２０１と、図柄部２０１をリール２１ａの外周面と第２の表示窓３５との間で往復移動させるように図柄部２０１毎に応じて設けられた機構部２０２と、リール２１が停止した際に、第２の表示窓３５にて視認される図柄が形成された図柄部２０１の機構部２０２を動作させて、第２の表示窓３５にて視認される図柄が形成された図柄部２０１を第２の表示窓３５に向かって飛び出すように移動させて、第２の表示窓３５に音をたてて張り付かせる制御部２０３（図４に図示）と、を備えている。
【００２９】
図柄部２０１は、図５に示されるように、その前面側に図柄（図示せず）が１つずつ形成された略矩形状の板状部材であって、リール２１ａの外周面にほぼ一体的に張り付くことができ、かつ、図３、６に示されるように、第２の表示窓３５に音をたててぴたりと張り付くような適度な弾力を備えている。この図柄部２０１の隅部とリール２１ａの外周面との間には、図６に示されるように、リール２１ａが回転する際の遠心力によって図柄部２０１がリール外周面から離れるのを防止すると共に、機構部２０２が動作した際には図柄部２０１をリール外周面から離脱させるようにその互いに引き合う力が設定された一対の磁石２０４（または、磁石とこれにくっつく鉄などを用いた小片部との組合せであってもよい）が配設されていると共に、図５、６に示されるように、図柄部２０１をリール２１ａの外周面の所定位置に位置させたり、リール２１ａの外周面から離脱した図柄部２０１を所定位置に戻すための伸縮自在な蛇腹部材２０５が配設されている。なお、図柄部２０１そのものが磁石２０４にくっつくようにしてもよい。
【００３０】
機構部２０２は、図４（ａ），（ｂ）に示されるように、第２の表示窓３５の傾斜形状に応じて図柄部２０１がぴったりと張り付くことができるように（図３、６参照）、その先端部が図柄部２０１の背面側に揺動可能に連なり、かつ後部がリール２１ａの回転中心に向かった棒状の支持棒部２０２ａと、支持棒部２０２ａを進退移動可能に保持するようにリール２１ａ内部に配設された筒状の保持部２０２ｂと、支持棒部２０２ａが所定位置が待機するように（つまり、リール２１ａの外周面上に図柄部２０１が位置するように）支持棒部２０２ａを保持部２０２ｂに係止させておくと共に、制御部２０３からの出力信号（出力信号の送出形態は有線でも無線でもどちらでもよい）に基づいて、支持棒部２０２ａと保持部２０２ｂとの係止を解除するように動作すると共に、第２の表示窓３５に向かって移動した支持棒部２０２ａが所定位置に戻ると、支持棒部２０２ａと保持部２０２ｂとを係止させるトリガ部材としてのストッパ２０２ｃと、ストッパ２０２ｃにより支持棒部２０２ａと保持部２０２ｂとの係止が解除された際に、瞬時に支持棒部２０２ａを第２の表示窓３５側に向かって送り出すためのバネ部材（例えば、圧縮バネ）２０２ｄと、送り出した支持棒部２０２ａを所定位置に戻すための電動モータ２０２ｅと、一端部が支持棒部２０２ａの後部に連なったワイヤ２０２ｆと、ワイヤ２０２ｆの他端部が連なると共に電動モータ２０２ｅの出力回転軸（図示せず）に装着され、支持棒２０２ｅの移動に伴ってワイヤ２０２ｆが繰り出される際にあっては出力回転軸に対してフリー回転し、繰り出されたワイヤ２０２ｆを巻き戻す際にあっては出力回転軸と共に回転するプーリ２０２ｇと、を備えている。
なお、機構部２０２は、上述したバネ部材２０２ｄなどを用いた構成（機械式）に限られたものではなく、例えば、空気圧（圧縮空気及び減圧作用を用いた空気式）、或いは電磁ソレノイド（電気式）を用いて支持棒部２０２ａを進退移動させるように構成してもよい。
【００３１】
制御部２０３は、リール２１ａが停止した際に機構部２０２のストッパ２０２ｃを動作させて第２の表示窓３５にて視認される図柄が形成された図柄部２０１（本実施形態によれば、リール２１ａにあっては３個の図柄部）をほぼ同時に第２の表示窓３５に向かって移動させて張り付かせる制御を行う（図３参照）。
なお、この場合、制御部２０３は、第２の表示窓３５に対向した３個の図柄部２０１のうち一部を先に移動させ、所定時間経過後に残りの図柄部２０１を移動させるように構成してもよい（図６参照）。
さらにまた、この制御部２０３は、第２の表示窓３５に張り付かせた図柄部２０１を所定時間経過後に各機構部２０２を動作させてほぼ同時に元の位置に戻す制御を行ったり、或いは、第２の表示窓３５に張り付かせた図柄部２０１のうち一部、つまり１枚或いは２枚を元の位置に戻す制御を行ったうえで、残りの図柄部２０１を元の位置に戻す制御を行うように構成されている。
【００３２】
なお、制御部２０３は、メイン制御基板やサブ基板などとは別体に設けるようにしたが、これに限定されるものではなく、メイン制御基板、サブ基板、回胴制御基板などのうち何れか１つであってもよい。
また、サブリール２０のリール２１ａ〜２１ｃの停止を検出するセンサを設けると共に、当該センサの検出値に基づいて制御部２０３が機構部２０２を動作させるように構成することもできる。
【００３３】
そして、上述したリール２１ａと同様の態様によりリール２１ｂ，２１ｃも構成されている。
【００３４】
以上説明したように本発明の遊技機のリール装置によれば、遊技者によってメダルが投入され、スタートレバー４３が押し下げられると、メインリール１０のリール１１ａ〜１１ｃが始動すると共に内部抽選役に応じてサブ基板内で演出が選択され、サブリール２０のリール２１ａ〜２１ｃが始動する。そして、ストップボタン４４ａ〜４４ｃの押圧に応じてメインリール１０のリール１１ａ〜１１ｃが停止して役が決定されると共に、演出終了時にサブリール２０のリール２１ａ〜２１ｃが停止するようになっている。メインリール１０のリール１１ａ〜１１ｃが停止した状態にあっては、第１の表示窓３３に合計９個の図柄（各リール３個の図柄）が視認されるようになる。これと同様に、サブリール２０のリール２１ａ〜２１ｃが停止した状態にあっては、第２の表示窓３５に合計９個の図柄（各リール３個の図柄）が視認される。すると、次の瞬間、第２の表示窓３５に表示された合計９個（各リール３個）のリール外周面の図柄部２０１がそれぞれ第２の表示窓３５に向かって飛び出すように移動したのち、第２の表示窓３５に音をたてて張り付く演出がなされるようになっている。これにより、第２の表示窓３５の奥の図柄が遊技者に向かって飛び出してきて衝突音を発生する演出が行われると、表示窓を通して図柄を見ていた遊技者は、図柄がいきなり音をたてながら拡大（ズームアップ）したと感じるので、遊技者に対して意外性がある演出効果を行うことができ、より強いインパクトを与えることができるようになる。
【００３５】
なお、本実施形態にあっては、第２の表示窓３５に合計９個（各リール３個）のリール外周面の図柄が表示されるように構成したが、これに限定されるものではなく、例えば、第２の表示窓３５に合計３個（各リール１個）の図柄が現れるように構成してもよい。
また、本実施形態にあっては、本発明をサブリールに適用した例を説明したが、これに限定されるものではなく、メインリールに適用してもよい。
【図面の簡単な説明】
【００３６】
【図１】スロットマシンの正面図である。
【図２】リール装置の斜視図である。
【図３】本発明が適用されたサブリールの演出例の１つを示した模式図である。
【図４】（ａ），（ｂ）は、同例における演出部の構成を示した模式図である。
【図５】同例におけるリールの外周面の斜視図である。
【図６】同例におけるサブリールによる演出例の１つを示した側面図である。
【符号の説明】
【００３７】
１…スロットマシン（遊技機）
１０…メインリール（リール装置）
１１ａ〜１１ｃ…リール
２０…サブリール（リール装置）
２１ａ〜２１ｃ…リール
２００…演出部
２０１…図柄部
２０２…機構部
２０２ａ…支持棒部
２０２ｂ…保持部
２０２ｃ…ストッパ（トリガ部材）
２０２ｄ…バネ部材
２０２ｅ…電動モータ
２０２ｆ…ワイヤ
２０２ｇ…プーリ
２０３…制御部
２０４…磁石
２０５…蛇腹部材
【図１】
2009101063.tif 000003
【図２】
2009101063.tif 000004
【図３】
2009101063.tif 000005
【図４】
2009101063.tif 000006
【図５】
2009101063.tif 000007
【図６】
2009101063.tif 000008